(57)【要約】【課題】  リソースを分散させることができ、これによりコストバランスに応じたユーザ接続数の動的制御が可能となる無線基地局の提供。【解決手段】  ＲＡＮをシェアする環境に対応する無線基地局１０であって、無線基地局の信号処理負荷状態および無線リソース割り当て状況をＰＬＭＮ６０，７０毎に状態監視するリソース状態監視部１１０と、リソース状態監視部での監視情報に基づきバランシングの必要性の有無を判定し、かつセル選択およびセル再選択アルゴリズムで使用されるオフセット値の増減値を決定するバランシング制御部１２０と、バランシング制御部での判定結果に基づきセル選択およびセル再選択アルゴリズムで動的に増減されるオフセット値を報知情報として端末に報知する報知情報制御部１３０とを含む。【選択図】      図２
2013258562.tif 000002
【特許請求の範囲】
【請求項１】
ＲＡＮ（Radio Access Network；無線アクセスネットワーク）をシェアする環境に対応する無線基地局であって、
前記無線基地局の信号処理負荷状態および無線リソース割り当て状況をＰＬＭＮ（Public Land Mobile Network；移動体通信ネットワーク）毎に状態監視するリソース状態監視部と、
前記リソース状態監視部での監視情報に基づきバランシングの必要性の有無を判定し、かつセル選択およびセル再選択アルゴリズムで使用されるオフセット値を計算するバランシング制御部と、
前記バランシング制御部での判定結果に基づきセル選択およびセル再選択アルゴリズムで動的に増減されるオフセット値を報知情報として端末に報知する報知情報制御部とを含むことを特徴とする無線基地局。
【請求項２】
第１のＰＬＭＮと第２のＰＬＭＮとが存在する場合において、前記無線基地局の負荷状態として、前記第１のＰＬＭＮと第２のＰＬＭＮに対する無線リソースの割り当て比率が所定上限値を超えた場合、不均衡が発生したと判定されることを特徴とする請求項１または２記載の無線基地局。
【請求項３】
ＲＡＮ（Radio Access Network；無線アクセスネットワーク）をシェアする環境に対応する無線基地局におけるセル選択方法であって、
前記無線基地局の信号処理負荷状態および無線リソース割り当て状況をＰＬＭＮ（Public Land Mobile Network；移動体通信ネットワーク）毎に状態監視するリソース状態監視ステップと、
前記リソース状態監視ステップでの監視情報に基づきバランシングの必要性の有無を判定し、かつセル選択およびセル再選択アルゴリズムで使用されるオフセット値を計算するバランシング制御ステップと、
前記バランシング制御ステップでの判定結果に基づきセル選択およびセル再選択アルゴリズムで動的に増減されるオフセット値を報知情報として端末に報知する報知情報制御ステップとを含むことを特徴とするセル選択方法。
【請求項４】
第１のＰＬＭＮと第２のＰＬＭＮとが存在する場合において、前記無線基地局の負荷状態として、前記第１のＰＬＭＮと第２のＰＬＭＮに対する無線リソースの割り当て比率が所定上限値を超えた場合、不均衡が発生したと判定されることを特徴とする請求項４記載のセル選択方法。
【請求項５】
請求項１か２のいずれかに記載の無線基地局と、複数のＰＬＭＮ（Public Land Mobile Network；移動体通信ネットワーク）とを含むことを特徴とする通信システム。
【請求項６】
ＲＡＮ（Radio Access Network；無線アクセスネットワーク）をシェアする環境に対応する無線基地局におけるセル選択方法のプログラムであって、
前記無線基地局の制御部に、
前記無線基地局の信号処理負荷状態および無線リソース割り当て状況をＰＬＭＮ（Public Land Mobile Network；移動体通信ネットワーク）毎に状態監視するリソース状態監視ステップと、
前記リソース状態監視ステップでの監視情報に基づきバランシングの必要性の有無を判定し、かつセル選択およびセル再選択アルゴリズムで使用されるオフセット値を計算するバランシング制御ステップと、
前記バランシング制御ステップでの判定結果に基づきセル選択およびセル再選択アルゴリズムで動的に増減されるオフセット値を報知情報として端末に報知する報知情報制御ステップとを実行させるためのプログラム。
【請求項７】
第１のＰＬＭＮと第２のＰＬＭＮとが存在する場合において、前記無線基地局の負荷状態として、前記第１のＰＬＭＮと第２のＰＬＭＮに対する無線リソースの割り当て比率が所定上限値を超えた場合、不均衡が発生したと判定されることを特徴とする請求項６のプログラム。
【発明の詳細な説明】
【技術分野】
【０００１】
本発明は、無線基地局およびそのセル選択方法ならびに通信システムに関し、特に移動体無線通信の通信オペレータが同じ無線アクセスネットワークを共用するＲＡＮ(Radio Access Network)シェア環境におけるシェアッド無線基地局およびそのセル選択方法ならびに通信システムに関する。
【背景技術】
【０００２】
本発明に関連するセル選択アルゴリズムおよびセル再選択アルゴリズムの一例を、図面を参照して説明する。図５は本発明に関連するセル選択アルゴリズムの一例のフローチャート、図６は本発明に関連するセル再選択アルゴリズムの一例のフローチャートである。
【０００３】
図５を参照すると、本発明に関連するセル選択アルゴリズムでは、セル選択ＲＸレベル値(Srxlev)が正の値か否かが判定され（ステップＳ２００）、セル選択ＲＸレベル値(Srxlev)が正の値であれば、セル選択ＲＸレベル値(Srxlev)順にセルのソートが行われ（ステップＳ２１０）、次いでセル選択が行われる（ステップＳ２２０）。一方、ステップＳ２００にて、セル選択ＲＸレベル値(Srxlev)が“０”あるいは負の値であれば、処理は終了となる。
【０００４】
また、図６を参照すると、本発明に関連するセル再選択アルゴリズムでは、ＲｓおよびＲｎ（後述する）が計算され（Ｓ３００）、次いでＲｓとＲｎの値が比較され（Ｓ３１０）、Ｒｎの方がＲｓよりも大であればセルの再選択が行われる（Ｓ３２０）。一方、ステップＳ３１０にて、ＲｎとＲｓが等しいかあるいはＲｎの方がＲｓよりも小であれば、処理は終了となる。
【０００５】
すなわち、図５および図６において、ステップＳ２１０およびステップＳ３１０では端末が測定する無線基地局の無線通信品質および無線基地局から報知される静的なオフセット値よりセル選択基準値を算出し、それに基づいてステップＳ２２０およびステップＳ３２０において最適なセルを選択する。
【０００６】
一方、周辺基地局と協調しつつ共通制御チャネルの送信電力を自律的に設定し、セル形成を行う基地局および移動通信システムの一例が知られている（たとえば、特許文献１参照）。
【０００７】
特許文献１に記載の発明では、移動局における測定結果に加えて、基地局側で測定した上り干渉量や下り総送信電力を、周辺の基地局で測定された上り干渉量や下り総送信電力と比較することにより自基地局の上下回線の負荷状態を検出し、全基地局に渡って初期化することなく各基地局の共通制御チャネル、たとえばパイロットチャネルの送信電力を制御する。
【先行技術文献】
【特許文献】
【０００８】
【特許文献１】特開２００６−１３５６７３号公報
【発明の概要】
【発明が解決しようとする課題】
【０００９】
しかし、関連発明のセル選択アルゴリズムおよびセル再選択アルゴリズムにおいては、無線品質のみに従ったセルの選択方法であるため、シェアッド基地局においてリソース分散が出来ず、コストバランスに応じたユーザ接続数の動的制御ができないという課題がある。
【００１０】
すなわち、関連発明のＲＡＮシェア環境におけるシェアッド基地局において、オペレータ毎の自局の負荷状態または無線リソース利用状況に応じたリソース制御はないため、設備および運用コストに応じたネットワーク環境の提供を行なうことは出来ない。たとえば、コストバランスが１：１である場合において、セルに在圏するユーザ数の偏りにより、基地局の利用率が２：１となるようなケースが生じうる。これによりオペレータのネットワークを利用する加入者が支払うネットワーク利用料が実際に使用する無線環境に合理的に結びつかないという課題があった。
【００１１】
一方、特許文献１に記載の発明は、基地局側で上り干渉量や下り総送信電力を測定するという構成を有するものの、シェアッド基地局において、オペレータ毎の自局の負荷状態または無線リソース利用状況に応じてリソース制御を行うという構成は全く有しておらず、よって特許文献１に記載の発明によって本発明の課題を解決することはできない。
【００１２】
そこで、本発明の目的は、シェアッド基地局において、オペレータ毎の自局の負荷状態または無線リソース利用状況に応じてリソース制御を行うことにより、リソースを分散させることができ、これによりコストバランスに応じたユーザ接続数の動的制御が可能となり、よってオペレータのネットワークを利用する加入者が支払うネットワーク利用料を、実際に使用する無線環境に合理的に結びつかせることが可能な無線基地局およびそのセル選択方法ならびに通信システムを提供することにある。
【課題を解決するための手段】
【００１３】
前記課題を解決するために、本発明による無線基地局は、ＲＡＮ（Radio Access Network；無線アクセスネットワーク）をシェアする環境に対応する無線基地局であって、前記無線基地局の信号処理負荷状態および無線リソース割り当て状況をＰＬＭＮ（Public Land Mobile Network；移動体通信ネットワーク）毎に状態監視するリソース状態監視部と、前記リソース状態監視部での監視情報に基づきバランシングの必要性の有無を判定し、かつセル選択およびセル再選択アルゴリズムで使用されるオフセット値を計算するバランシング制御部と、前記バランシング制御部での判定結果に基づきセル選択およびセル再選択アルゴリズムで動的に増減されるオフセット値を報知情報として端末に報知する報知情報制御部とを含むことを特徴とする。
【００１４】
また、本発明によるセル選択方法は、ＲＡＮ（Radio Access Network；無線アクセスネットワーク）をシェアする環境に対応する無線基地局におけるセル選択方法であって、前記無線基地局の信号処理負荷状態および無線リソース割り当て状況をＰＬＭＮ（Public Land Mobile Network；移動体通信ネットワーク）毎に状態監視するリソース状態監視ステップと、前記リソース状態監視ステップでの監視情報に基づきバランシングの必要性の有無を判定し、かつセル選択およびセル再選択アルゴリズムで使用されるオフセット値を計算するバランシング制御ステップと、前記バランシング制御ステップでの判定結果に基づきセル選択およびセル再選択アルゴリズムで動的に増減されるオフセット値を報知情報として端末に報知する報知情報制御ステップとを含むことを特徴とする。
【００１５】
また、本発明による通信システムは、無線基地局と、複数のＰＬＭＮ（Public Land Mobile Network；移動体通信ネットワーク）とを含むことを特徴とする。
【００１６】
また、本発明によるプログラムは、ＲＡＮ（Radio Access Network；無線アクセスネットワーク）をシェアする環境に対応する無線基地局におけるセル選択方法のプログラムであって、前記無線基地局の制御部に、前記無線基地局の信号処理負荷状態および無線リソース割り当て状況をＰＬＭＮ（Public Land Mobile Network；移動体通信ネットワーク）毎に状態監視するリソース状態監視ステップと、前記リソース状態監視ステップでの監視情報に基づきバランシングの必要性の有無を判定し、かつセル選択およびセル再選択アルゴリズムで使用されるオフセット値を計算するバランシング制御ステップと、前記バランシング制御ステップでの判定結果に基づきセル選択およびセル再選択アルゴリズムで動的に増減されるオフセット値を報知情報として端末に報知する報知情報制御ステップとを実行させるためのものであることを特徴とする。
【発明の効果】
【００１７】
本発明によれば、シェアッド基地局において、オペレータ毎の自局の負荷状態または無線リソース利用状況に応じてリソース制御を行うことにより、リソースを分散させることができ、これによりコストバランスに応じたユーザ接続数の動的制御が可能となり、よってオペレータのネットワークを利用する加入者が支払うネットワーク利用料を、実際に使用する無線環境に合理的に結びつかせることが可能な無線基地局およびそのセル選択方法ならびに通信システムを提供することが可能となる。
【図面の簡単な説明】
【００１８】
【図１】本発明に係る通信システムの一実施形態の構成図である。
【図２】本発明に係る無線基地局の一実施例の構成図である。
【図３】本発明に係る負荷分散動作アルゴリズムの一例を示すフローチャートである。
【図４】本発明に係る無線基地局のオペレータ２者間における動作の一例を示す模式図である。
【図５】本発明に関連するセル選択アルゴリズムの一例のフローチャートである。
【図６】本発明に関連するセル再選択アルゴリズムの一例のフローチャートである。
【発明を実施するための形態】
【００１９】
以下、本発明の実施の形態について添付図面を参照しながら説明する。図１は本発明に係る通信システムの一実施形態の構成図である。同図を参照すると、本発明に係る通信システムの一実施形態は、無線基地局１０と、無線基地局２０と、無線基地局３０と、端末４０と、端末４１とを含んで構成される。
【００２０】
無線基地局１０はセル８０を、無線基地局２０はセル８１を、無線基地局３０はセル８２を構成する。また、無線基地局１０と無線基地局２０は第１のＰＬＭＮ（Public Land Mobile Network；移動体通信ネットワーク）６０を構成し、無線基地局１０と無線基地局３０は第２のＰＬＭＮ７０を構成する。
【００２１】
そして、本実施形態では無線基地局１０は第１のＰＬＭＮ６０および第２のＰＬＭＮ７０によって共有されるため、無線基地局１０をシェアッド無線基地局１０と表示する場合がある。
【００２２】
なお、同図では通信システムが３個のセル、２個のＰＬＭＮ６０，７０および２個の端末４０，４１を含んで構成される例を示すが、本発明はこれに限定されるものではなく、任意の数のセル、ＰＬＭＮおよび端末に対し本発明の適用が可能である。
【００２３】
同図において、シェアッド無線基地局１０は自局の少なくとも負荷状況または無線リソース状況に基づき、移動体通信ネットワーク（ＰＬＭＮ６０，７０）毎にシステム情報に含まれるリソース割り当て制御用パラメータを計算し、報知情報として端末４０，４１に通知する。
【００２４】
端末４０，４１は報知情報に基づきセル選択あるいはセル再選択により、シェアッド無線基地局１０への接続数を制限する。一例として、端末４０が制限の対象となった場合は、端末４０はシェアッドではない基地局２０が接続先として選択される。
【００２５】
このようにして、本願発明では、各オペレータが運用する移動体通信ネットワーク（ＰＬＭＮ）毎の負荷状況に応じた接続ユーザ数のバランス制御を行うため、ネットワーク運用および利用コスト応じたリソース制御が出来、これにより加入者に対しコストに応じた合理的なネットワーク環境を提供することが可能となる。
【００２６】
以下、本発明に係る無線基地局の一実施例について説明する。図２は本発明に係る無線基地局の一実施例の構成図である。同図を参照すると、本発明の一実施例としての無線基地局１０が示されている。同図において、無線基地局１０はアンテナ部５００と、無線部２００と、変復調部４００と、制御部１００と、バックホールインターフェース部３００と、プログラム格納部６００とを含んで構成されており、図示しない端末への無線通信制御信号とデータ通信信号の送受信と、バックホール回線に対する通信制御信号とデータ通信信号の送受信を行う。
【００２７】
なお本実施例では便宜上、一例として２本のアンテナ５１０，５２０で図示しない移動通信端末と通信する場合を例に挙げて説明する。同図において、アンテナ部５００は無線部２００と接続され、無線部２００内の受信部２１０および送信部２２０とベースバンド信号の通信を行う。
【００２８】
変復調部４００は複数のＣＰＵ(Central Processing Unit)から構成され、送受信信号の変復調およびデジタル信号処理による信号制御を行う。
【００２９】
制御部１００は複数のＣＰＵから構成され、無線基地局１０全体の制御を行う。制御部１００内には、定期的に無線基地局１０の信号処理負荷状態および無線リソース割り当て状況をＰＬＭＮ６０および７０毎に状態監視するリソース状態監視部１１０と、それら監視情報に基づいてバランシングの必要性の有無を判定し、かつセル選択およびセル再選択アルゴリズムで使用されるオフセット値の増減値を決定するバランシング制御部１２０と、判定基準を満たした場合においてセル選択およびセル再選択アルゴリズムで動的に増減されるオフセット値を報知情報として無線部２００を介してアンテナ部５００から図示しない端末に通知するための報知情報制御部１３０とを備えている。なお、プログラム格納部６００については後述する。
【００３０】
次に、本実施例の動作について説明する。一例として、バランシング制御動作を図３に示すフローチャートを用いて説明する。図３は本発明に係る無線基地局のバランシング制御動作の一例を示すフローチャートである。なお、以下の動作は、無線基地局１０の制御部１００が、リソース状態監視部１１０、バランシング制御部１２０および報知情報制御部１３０を制御することにより実行される。
【００３１】
同図を参照すると、無線基地局１０は制御部１００内のリソース負荷状態監視部１１０において、定期的にＰＬＭＮ６０および７０毎に自局の負荷状態監視を開始し（ステップＳ１００）、負荷状態情報を元にバランシング制御部１２０にて不均衡の発生可否を判定する（ステップＳ１１０）。
【００３２】
バランシングが必要と判定された場合において、バランシング制御部１２０はセル選択およびセル再選択アルゴリズムで使用されるオフセット値を計算する（ステップＳ１２０）。バランシングが不要と判定された場合は、バランシング制御を終了する。
【００３３】
オフセット計算が終了した後、バランシング制御部１２０は計算値がオフセット値としての許容範囲であるか否かを判定する（ステップＳ１３０）。
【００３４】
計算値が許容範囲内であると判定された場合において、当該オフセット値はセルのシステム情報として報知情報制御部１３０を介して図示しないユーザ端末へと報知される（ステップＳ１４０）。許容範囲外と判定された場合は、バランシング制御を終了する。
【００３５】
次に、不均衡判定の例として、図４においてオペレータ２者間における動作例を説明する。図４は本発明に係る無線基地局のオペレータ２者間における動作の一例を示す模式図である。
【００３６】
同図を参照すると、設備運用コスト比がＰＬＭＮ６０：ＰＬＭＮ７０＝６：３であると想定した場合において、無線基地局１０の負荷状態として少なくとも無線リソースの割り当てとしてＰＬＭＮ６０が６０％、ＰＬＭＮ７０が４０％の上限値超えた場合において不均衡が発生したという事ができる。
【００３７】
もし、ＰＬＭＮ６０がリソースの上限値を超えた場合において、シェアッド基地局１０のセルに対する選択基準に対してバランシングを目的としたオフセット値を制御し、新規呼に対する受け入れ数を制限する。この時、オフセット値は不均衡して、リソース状況に応じて動的に増減を繰り返す。ただし本例は一例であり、不均衡の定義は定めない。
【００３８】
次に、本発明のセル選択およびセル再選択アルゴリズムにおけるオフセット値の作用について説明する。当該無線基地局１０の処理負荷または無線リソースの不均衡を判定するパラメータがある一定の閾値を超え、バランシング制御部１２０がバランシング判定を検出した場合、セル選択およびセル再選択で用いられるＰＬＭＮ６０，７０毎のオフセット値（Qrxlevminoffset、Qbalanceoffset）の増減によるセル選択制御動作へ移行する。
【００３９】
まず、セル選択アルゴリズムとして、端末が無線基地局１０から受信した信号品質を示すＲＳＲＰ（Qrxlevmeas）、ＲＳＲＱ（Qrxlev）と、無線基地局１０により設定される値（Qrxlevmin, Qrxlevminoffset, Pcompensation）および当該オフセット値を用いて、下記の式によってＰＬＭＮリソースバランシングを考慮したセル選択基準Srxlevが計算される。
【００４０】
Srxlev= Qrxlevmeas - (Qrxlevmin + Qrxlevminoffset) - Pcompensation・・・・・・（１）
【００４１】
ここで、“Srxlev”はセル選択ＲＸレベル値（ｄＢ）、“Qrxlevmeas”は測定されたセルＲＸレベル（ＲＳＲＰ）、“Qrxlevmin”はセル内の最小必要ＲＸレベル（ｄＢｍ）、“Qrxlevminoffset”はＰＬＭＮ６０，７０毎に用意されたバランシング用オフセット値、“Pcompensation”はmax(PEMAX-PUMAX, 0)（dB）を夫々示す。
【００４２】
該当無線デバイスは検出セルの中からSrxlevに基づき最適なセルを選択する。
【００４３】
次に再セル選択およびセル再選択アルゴリズムにおけるオフセット値の作用について説明する。セル選択アルゴリズムと同様にバランシング制御部１２０によりＰＬＭＮ６０，７０毎にオフセット値を算出し、セル再選択アルゴリズムにバランシングの機能を導入する。
【００４４】
まず、再セル選択アルゴリズムとして、端末が在圏局および隣接局から受信した信号品質を示すＲＳＲＰ（Qmeas）と、基地局による設定される値（QHyst, Qoffset）および当該オフセット値を用いて、下記の式によってＰＬＭＮリソースバランシングを考慮したセル品質選択順位Rs, shared, Rn, sharedが計算される。
【００４５】
Rs, shared ＝ Rs−Qbalanceoffset・・・・・・（２）
Rn, shared = Rn−Qbalanceoffset・・・・・・（３）
Rs = Qmeas,s + QHyst・・・・・・（４）
Rn = Qmeas,n + Qoffset・・・・・・（５）
【００４６】
ここに、“Qmeas”はセル再選択に使用されるＲＳＲＰ測定値である。また、“Qoffset”は周波数内に対して、Qoffsets,nが有効な場合、Qoffsets,nに等しい。そうでない場合、この値はゼロである。また、周波数間に対してQoffsets,nが有効な場合、“Qoffset”の値はQoffsets,n+Qoffsetfrequencyに等しい。そうでない場合、この値はQoffsetfrequencyに等しい。
【００４７】
“Qbalanceoffset”はＰＬＭＮ毎に用意されたバランスシング用オフセット値である。該当無線デバイスは検出セルの中からRs, shared、Rn, sharedに基づき最適なセルを再選択する。
【００４８】
以上説明したように、本発明の一実施例によれば、ＲＡＮシェア環境のシェアッド無線基地局において、セル選択およびセル再選択アルゴリズムによる動的な接続数制御が可能であり、設備および運用コストバランスに対応した基地局利用状況を実現することが可能となる。また、それにより加入者に対して料金に応じた合理的な実ネットワーク環境を提供することが可能となる。
【００４９】
次に、本発明の他の実施例について説明する。他の実施例はセル選択方法のプログラムに関するものである。前述したように、本発明に係る無線基地局１０はプログラム格納部６００を有している（図２参照）。このプログラム格納部６００には図３にフローチャートで示すセル選択方法のプログラムが格納されている。
【００５０】
無線基地局１０の制御部１００はプログラム格納部６００からそのプログラムを読み出し、そのプログラムにしたがってリソース状態監視部１１０、バランシング制御部１２０および報知情報制御部１３０を制御する。その制御の内容については既に述べたので、ここでの説明は割愛する。
【００５１】
以上説明したように、本発明の他の実施例によれば、シェアッド基地局において、オペレータ毎の自局の負荷状態または無線リソース利用状況に応じてリソース制御を行うことにより、リソースを分散させることができ、これによりコストバランスに応じたユーザ接続数の動的制御が可能となり、よってオペレータのネットワークを利用する加入者が支払うネットワーク利用料を、実際に使用する無線環境に合理的に結びつかせることが可能なセル選択方法のプログラムが得られる。
【００５２】
上記の実施形態の一部または全部は、以下の付記のようにも記載されうるが、以下には限られない。
【００５３】
（付記１）  ＲＡＮ（Radio Access Network；無線アクセスネットワーク）をシェアする環境に対応する無線基地局であって、前記無線基地局の信号処理負荷状態および無線リソース割り当て状況をＰＬＭＮ（Public Land Mobile Network；移動体通信ネットワーク）毎に状態監視するリソース状態監視部と、前記リソース状態監視部での監視情報に基づきバランシングの必要性の有無を判定し、かつセル選択およびセル再選択アルゴリズムで使用されるオフセット値の増減値を決定するバランシング制御部と、前記バランシング制御部での判定結果に基づきセル選択およびセル再選択アルゴリズムで動的に増減されるオフセット値を報知情報として端末に報知する報知情報制御部とを含んでおり、前記セル選択アルゴリズムとして、前記ＰＬＭＮのリソースバランシングを考慮したセル選択基準(Srxlev, shared)が、前記端末が前記無線基地局から受信した信号品質を示すＲＳＲＰ(Qrxlevmeans)およびＲＳＲＱ(Qrxlev)と、前記無線基地局により設定される値（Qrxlevmin, Pcompensation）および所定オフセット値（Qrxlevminoffset）を用いて計算され、該当端末は検出したセルの中から前記セル選択基準に基づき最適なセルを選択することを特徴とする無線基地局。
【００５４】
（付記２）  再セル選択アルゴリズムとして、前記ＰＬＭＮのリソースバランシングを考慮したセル品質選択順位（Rs, sharedおよびRn, shared）が、前記端末が在圏局および隣接局から受信した信号品質を示すＲＳＱＰ(Qmeans)と、前記無線基地局により設定される値（QHyst, Qoffset）および所定オフセット値（Qbalanceoffset）を用いて計算され、該当端末は検出したセルの中から前記セル品質選択順位に基づき最適なセルを再選択することを特徴とする付記１記載の無線基地局。
【００５５】
（付記３）  ＲＡＮ（Radio Access Network；無線アクセスネットワーク）をシェアする環境に対応する無線基地局におけるセル選択方法であって、前記無線基地局の信号処理負荷状態および無線リソース割り当て状況をＰＬＭＮ（Public Land Mobile Network；移動体通信ネットワーク）毎に状態監視するリソース状態監視ステップと、前記リソース状態監視ステップでの監視情報に基づきバランシングの必要性の有無を判定し、かつセル選択およびセル再選択アルゴリズムで使用されるオフセット値の増減値を決定するバランシング制御ステップと、前記バランシング制御ステップでの判定結果に基づきセル選択およびセル再選択アルゴリズムで動的に増減されるオフセット値を報知情報として端末に報知する報知情報制御ステップとを含んでおり、前記セル選択アルゴリズムとして、前記ＰＬＭＮのリソースバランシングを考慮したセル選択基準(Srxlev, shared)が、前記端末が前記無線基地局から受信した信号品質を示すＲＳＲＰ(Qrxlevmeans)およびＲＳＲＱ(Qrxlev)と、前記無線基地局により設定される値（Qrxlevmin, Pcompensation）および所定オフセット値（Qrxlevminoffset）を用いて計算され、該当端末は検出したセルの中から前記セル選択基準に基づき最適なセルを選択することを特徴とするセル選択方法。
【００５６】
（付記４）  再セル選択アルゴリズムとして、前記ＰＬＭＮのリソースバランシングを考慮したセル品質選択順位（Rs, sharedおよびRn, shared）が、前記端末が在圏局および隣接局から受信した信号品質を示すＲＳＱＰ(Qmeans)と、前記無線基地局により設定される値（QHyst, Qoffset）および所定オフセット値（Qbalanceoffset）を用いて計算され、該当端末は検出したセルの中から前記セル品質選択順位に基づき最適なセルを再選択することを特徴とする付記３記載のセル選択方法。
【００５７】
（付記５）  ＲＡＮ（Radio Access Network；無線アクセスネットワーク）をシェアする環境に対応する無線基地局におけるセル選択方法のプログラムであって、前記無線基地局の制御部に、前記無線基地局の信号処理負荷状態および無線リソース割り当て状況をＰＬＭＮ（Public Land Mobile Network；移動体通信ネットワーク）毎に状態監視するリソース状態監視ステップと、前記リソース状態監視ステップでの監視情報に基づきバランシングの必要性の有無を判定し、かつセル選択およびセル再選択アルゴリズムで使用されるオフセット値の増減値を決定するバランシング制御ステップと、
前記バランシング制御ステップでの判定結果に基づきセル選択およびセル再選択アルゴリズムで動的に増減されるオフセット値を報知情報として端末に報知する報知情報制御ステップとを実行させるためのものであり、前記セル選択アルゴリズムとして、前記ＰＬＭＮのリソースバランシングを考慮したセル選択基準(Srxlev, shared)が、前記端末が前記無線基地局から受信した信号品質を示すＲＳＲＰ(Qrxlevmeans)およびＲＳＲＱ(Qrxlev)と、前記無線基地局により設定される値（Qrxlevmin, Pcompensation）および所定オフセット値（Qrxlevminoffset）を用いて計算され、該当端末は検出したセルの中から前記セル選択基準に基づき最適なセルを選択することを特徴とするプログラム。
【００５８】
（付記６）  再セル選択アルゴリズムとして、前記ＰＬＭＮのリソースバランシングを考慮したセル品質選択順位（Rs, sharedおよびRn, shared）が、前記端末が在圏局および隣接局から受信した信号品質を示すＲＳＱＰ(Qmeans)と、前記無線基地局により設定される値（QHyst, Qoffset）および所定オフセット値（Qbalanceoffset）を用いて計算され、該当端末は検出したセルの中から前記セル品質選択順位に基づき最適なセルを再選択することを特徴とする付記５記載のプログラム。
【符号の説明】
【００５９】
１０，２０，３０  無線基地局
４０，４１  端末
６０，７０  ＰＬＭＮ
８０，８１，８２  セル
１００  制御部
１１０  リソース状態監視部
１２０  バランシング制御部
１３０  報知情報制御部
２００  無線部
３００  バックホールインターフェース部
４００  変復調部
５００  アンテナ
５１０，５２０  アンテナ
６００  プログラム格納部
【図１】
2013258562.tif 000003
【図２】
2013258562.tif 000004
【図３】
2013258562.tif 000005
【図４】
2013258562.tif 000006
【図５】
2013258562.tif 000007
【図６】
2013258562.tif 000008